(57)【要約】【課題】温度補償機能を有する時計の歩度測定と消費電流測定を短時間で実施可能とする。【解決手段】各種タイミング信号を生成し出力するタイミング信号作成手段と、周囲温度を測定する温度測定手段と、温度測定手段より温度情報を受け取り、タイミング信号作成手段の周波数補正値を生成し、生成した周波数補正値に従い、タイミング信号作成手段の周波数を補正する温度補償値生成手段と、温度補償値生成手段および温度測定手段の動作を制御する制御手段を備え、外部からの制御指示を受け、制御手段に制御信号を出力する検知手段を有し、制御手段は、検知手段からの制御信号により温度測定手段を停止または動作させるように制御することを特徴とする電子時計。【選択図】図１
2014178180.tif 000002
【特許請求の範囲】
【請求項１】
各種タイミング信号を生成し出力するタイミング信号作成手段と、
周囲温度を測定する温度測定手段と、
該温度測定手段より温度情報を受け取り、前記タイミング信号作成手段の周波数補正値を生成し、
生成した周波数補正値に従い、前記タイミング信号作成手段の周波数を補正する温度補償値生成手段と、
前記温度補償値生成手段および前記温度測定手段の動作を制御する制御手段を備え、
外部からの制御指示を受け、前記制御手段に制御信号を出力する検知手段を有し、
前記制御手段は、前記検知手段からの制御信号により前記温度測定手段を停止または動作させるように制御するように構成され、さらに、
前記温度測定手段により測定された温度情報を記憶する記憶手段を有し、
前記温度補償値生成手段は、前記温度測定手段の停止中、
前記記憶手段の温度情報により前記周波数補正値を生成する
ことを特徴とする電子時計。
【請求項２】
指針を駆動する駆動手段と、
該駆動手段に対し、指針を駆動する運針パルスを出力する運針パルス生成手段と、
歩度測定を行うための歩度パルスを出力する歩度パルス生成手段と、を有し、
前記制御手段は、
前記温度測定手段の停止中、運針パルスの出力を停止し、歩度パルスの出力を行う
ことを特徴とする請求項１に記載の電子時計。
【請求項３】
前記制御信号は、複数の制御信号から構成され、
前記制御手段は、第１制御信号が出力されているとき、前記温度測定手段を停止させ、
第２制御信号が出力されているとき、前記温度測定手段を動作させるように制御する
ことを特徴とする請求項１または２に記載の電子時計。
【請求項４】
前記制御手段は、第１の期間を計測する第１期間計測手段を有し、
該第１期間計測手段は、前記温度測定手段を動作させるように制御する
ことを特徴とする請求項１から３のいずれか１つに記載の電子時計。
【請求項５】
前記制御手段は、第２の期間を計測する第２期間計測手段を有し、
前記第２期間計測手段は、前記温度測定手段を停止するように制御する
ことを特徴とする請求項３または４に記載の電子時計。
【請求項６】
前記第２期間計測手段が前記温度測定手段を停止させる場合に、前記歩度パルス生成手段を停止させる
ことを特徴とする請求項５に記載の電子時計。
【請求項７】
外部からの制御指示を行うための操作部材を有し、
前記検知手段は、該操作部材の操作時に前記制御信号を出力する
ことを特徴とする請求項１から６のいずれか1つに記載の電子時計。
【請求項８】
前記検知手段は、外部からの無線信号を入力し、前記制御信号を出力する
ことを特徴とする請求項１から７のいずれか1つに記載の電子時計。
【請求項９】
外部からの無線信号を入力する手段として、前記指針を駆動するモータのコイルを兼用することを特徴とする請求項８に記載の電子時計。
【発明の詳細な説明】
【技術分野】
【０００１】
本発明は、電子時計に関する。
【背景技術】
【０００２】
従来より、電子時計には、時刻合わせなどに使用される手段としてりゅうずやプッシュボタンなどが設けられている。一般的には、電子時計は、りゅうずが押し込まれている状態では、通常の時刻表示用の運針を行い、りゅうずが引かれている状態では、運針を停止し、この状態でりゅうずを回転したり、プッシュボタンを押すことにより、時刻合わせが可能となる。
【０００３】
このように、りゅうず引き状態では、運針を停止しているため、内部回路を動作させる必要がなく、低消費電力状態となる。従って、電池の消費量が抑えられ、保管や運搬はこのような状態で行われる。そのため、検査では、通常の運針時同様、この状態での消費電流測定も必要となる。
【０００４】
消費電流測定と並び、電子時計の検査においては、計時精度を検査する歩度測定が行われる。歩度測定は、完成された時計状態でも行わなければならないため、回路基板などから直接信号を取り出すのではなく、モータコイルにパルスを印加し、発生する磁界を歩度測定装置に設けられたコイルで検出し、その検出信号の間隔を測定する、といった方法がとられる。
【０００５】
多くの電子時計では、１秒あたり１発の運針パルスを歩度測定にも使用するのが一般的である。しかし、１秒を複数回の運針パルスにより駆動される多ビートスイープ運針の電子時計が存在する。このような電子時計では、運針パルスによる歩度測定が困難であるため、歩度測定は、りゅうず引き状態で歩度測定専用のパルスを出力させて行なう、といった方法がとられる。
【０００６】
また、電子時計には年間１０秒程度以内の精度（以下、年差精度という）を持つものがあり、それらは間欠的に周囲の温度測定および測定値に応じた温度補償を行うことにより、その精度を実現している。
【０００７】
このような高い精度を求められる電子時計では、りゅうず引き状態での歩度測定においても温度補償機能を有効にする必要がある。温度補償による温度測定は、抵抗とコンデンサで構成されたＣＲ発振器の温度特性を利用した温度センサを動作させるため、温度測定自体の消費電流が非常に大きくなり、それと消費電流測定が重なる場合、安定した正確な消費電流測定を行うことが困難である、という問題があった。
【０００８】
図１６は、従来技術の電子時計の動作を示すタイミングチャートである。ＳＧ１は、りゅうずの状態を表す信号であり、Ｌｏｗレベルでりゅうずが押し込まれた状態、Ｈｉｇｈレベルで引かれた状態を表す。ＳＧ４はパルス信号である。ＳＧ５は、温度測定信号であり、Ｈｉｇｈレベルで温度測定状態を表す。
【０００９】
期間Ｔ１では、電子時計は、パルス信号ＳＧ４に運針パルスＰを出力し、通常の多ビート運針を行う。タイミングＴＭ１でりゅうず引き状態となると、パルス信号ＳＧ４からは、歩度測定用の歩度パルスＳ１〜Ｓ５が１秒周期で出力される。
【００１０】
測定期間Ｔ２，Ｔ３は消費電流測定が行われる周期で、この場合２秒周期である。測定
期間Ｔ４は、温度測定が行われる周期で、例えば６０秒である。
【００１１】
歩度パルスＳ１から２秒周期で消費電流測定が開始され、温度測定が歩度パルスＳ３とＳ４の間で行われるとすると、１回目の測定期間Ｔ２では温度測定が行われず、２回目の測定期間Ｔ３では温度測定Ｍ２が行われることになる。
【００１２】
これにより、測定期間Ｔ３の消費電流は測定期間Ｔ２の消費電流に比べ、温度測定Ｍ２による消費電流分多くなる。従って、安定した消費電流測定を行うためには、温度測定が終了するのを待って行う必要があり、検査時間が長くなってしまう。
【００１３】
そこで、特許文献１および２では、スイッチ操作により温度補償機能を停止するという技術が開示されており、これにより待ち時間がなく正確な消費電流測定を行うことができる。
【先行技術文献】
【特許文献】
【００１４】
【特許文献１】特開昭５８−１７３４８８（図１）
【特許文献２】実開昭６３−１７４０９４（図３）
【発明の概要】
【発明が解決しようとする課題】
【００１５】
しかしながら、特許文献１および２の技術では、りゅうず引き状態で温度補償機能を停止してしまうため、年差精度が必要な時計の場合正確な歩度測定が行われないという問題がある。従って、温度補償機能を停止した消費電流測定と、温度補償機能を有効にした歩度測定を同時に行うことができないため、これらを順番に行うことになり、やはり検査時間が長くなってしまう。
【００１６】
本発明の目的は、上記を鑑み、検査開始後即座に消費電流測定と歩度測定を行うことができ、検査時間を短縮することができる電子時計を提供することである。
【課題を解決するための手段】
【００１７】
上記課題を解決するために、本発明は、
各種タイミング信号を生成し出力するタイミング信号作成手段と、
周囲温度を測定する温度測定手段と、
該温度測定手段より温度情報を受け取り、前記タイミング信号作成手段の周波数補正値を生成し、
生成した周波数補正値に従い、前記タイミング信号作成手段の周波数を補正する温度補償値生成手段と、
前記温度補償値生成手段および前記温度測定手段の動作を制御する制御手段を備え、
外部からの制御指示を受け、前記制御手段に制御信号を出力する検知手段を有し、
前記制御手段は、前記検知手段からの制御信号により前記温度測定手段を停止または動作させるように制御するように構成され、さらに、
前記温度測定手段により測定された温度情報を記憶する記憶手段を有し、
前記温度補償値生成手段は、前記温度測定手段の停止中、
前記記憶手段の温度情報により前記周波数補正値を生成することを特徴とする。
【発明の効果】
【００１８】
本発明によれば、消費電流測定において、測定開始後即座に安定した測定結果が得られる。また、歩度測定において、温度補償機能を有効にするため、高精度の歩度測定を行うことができる。従って、消費電流測定と歩度測定を同時に行うことができるため、検査工
程の削減、時間の短縮が可能となる。
【図面の簡単な説明】
【００１９】
【図１】本発明に係る電子時計のブロック図である。
【図２】本発明の第１および第２の実施形態に係る全体処理のフローチャートである。
【図３】本発明の第１および第２の実施形態に係る制御手段のブロック図である。
【図４】本発明の第１の実施形態に係る制御処理のフローチャートである。
【図５】本発明に係る温度補償処理のフローチャートである。
【図６】本発明の第１の実施形態に係る電子時計の動作を示すタイミングチャートである。
【図７】本発明の第２の実施形態に係る制御処理のフローチャートである。
【図８】本発明の第２の実施形態に係る電子時計の動作を示すタイミングチャートである。
【図９】本発明の第３の実施形態に係る制御手段のブロック図である。
【図１０】本発明の第３の実施形態に係る全体処理のフローチャートである。
【図１１】本発明の第３の実施形態に係る電子時計の動作を示すタイミングチャートである。
【図１２】本発明の第４の実施形態に係る制御手段のブロック図である。
【図１３】本発明の第４の実施形態に係る全体処理のフローチャートである。
【図１４】本発明の第４の実施形態に係る電子時計の動作を示すタイミングチャートである。
【図１５】本発明に係る電子時計の図である。
【図１６】従来技術に係る電子時計の動作を示すタイミングチャートである。
【発明を実施するための形態】
【００２０】
以下、図面に基づき本発明に係る電子時計の実施形態について説明する。
［本発明の電子時計の説明］
図１５は、本発明に係る電子時計１０の図である。１５０１は、時間を表示する時針、１５０２は、分を表示する分針、１５０３は秒を表示する秒針である。１１は、指針モジュールであり、時針１５０１、分針１５０２、秒針１５０３、モータ（図示しない）、モータの動作を時針１５０１、分針１５０２、秒針１５０３に伝える輪列（図示しない）などから構成されている。
【００２１】
１５０４は、りゅうずである。りゅうずが押し込まれた状態（以下、りゅうず押し状態という）１５０４ａ、引かれた状態（以下、りゅうず引き状態という）１５０４ｂまたは、回転状態１５０４ｃ、１５０４ｄをとることにより、電子時計１０は、所定動作を行う。ここで、回転状態１５０４ｃは、りゅうず押し状態での回転動作であり、回転状態１５０４ｄは、りゅうず引き状態での回転動作とする。１５０５は、プッシュボタンであり、押されることにより、電子時計１０は、所定動作を行う。
【００２２】
電子時計１１は、りゅうずが押し込まれた状態では、秒針１５０３を１秒間に１６発の運針パルスにより駆動している。これにより、１秒ごとに動いたり停止したりを繰り返す動作ではなく、なめらかに秒針１５０３が移動するように見えるスイープ運針を実現することができる。
【００２３】
時針１５０１、分針１５０２は、秒針１５０３と輪列で機械的に接続されており、秒針１５０３が１週回転すると分針１５０２は、６度回転する、分針１５０２が１週回転すると、時針１５０１は、３０度回転するように構成されている。
【００２４】
本発明の例において、りゅうず押し状態１５０４ａでのプッシュボタン１５０５の操作、およびりゅうずの回転状態１５０４ｃは、電子時計１０の動作に影響を及ぼさないものとする。
【００２５】
本発明の例において、りゅうず引き状態１５０４ｂでは、電子時計１０は秒針を停止する。また、回転状態１５０４ｄとすることにより、秒針１５０３が回転し、位置修正を行うことができる。このとき、秒針１５０３の回転は、機械的に行われても良いし、回転状態１５０４ｄを検出した回路がモータを駆動して行っても良い。
【００２６】
さらに、プッシュボタン１５０５を押すことにより、秒針１５０３のより微妙な調整を行わせることもできる。
【００２７】
本発明の例では、図１５に示した時計を想定しているが、本発明の適用はこれに限定されるものではない。りゅうず１５０４は、多段階の状態を持ってもよいし、プッシュボタンは、複数個備えていても良い。また、日を表示する機能を持っていてもよい。モータは、時針１５０１および分針１５０２用と、秒針１５０３用の２つで構成されても良いし、すべて独立して駆動するように構成されても良い。
【００２８】
［本発明の概略説明］
図１は、本発明に係る電子時計１０の構成を示すブロック図である。図１において本発明の電子時計１０は、発振手段１０１、分周手段１０２、制御手段１０３、温度測定手段１０４、記憶手段１０５ａを備える温度補償値生成手段１０５、操作検出手段１０６、駆動手段１０７、りゅうず１５０４、プッシュボタン１５０５、指針モジュール１１から構成されている。
【００２９】
発振手段１０１は、水晶振動子を発振させ、所定周波数を持つ発振信号を出力する。電子時計において、所定周波数は、１／２分周を繰り返すことにより１Ｈｚの信号を得ることができる３２７６８Ｈｚや２６２１４４Ｈｚが多く用いられる。
【００３０】
発振手段１０１内の水晶には、接続／切断可能なスイッチを介して所定値の容量が、基準電位との間に設けられており、この容量を接続することにより、切断した場合より周波数を遅めに調節することが可能である。
【００３１】
分周手段１０２は、発振手段１０１から出力された発振信号を分周し、モータ駆動のタイミングや、温度補償のタイミングを生成する、計時用カウンタで構成される。分周手段１０２は、その分周比が変更できるように構成されている。
【００３２】
発振手段１０１と分周手段１０２とで、電子時計１００内の各種タイミング信号を作成するタイミング信号作成手段を構成している。
【００３３】
分周手段１０２は、例えばセット端子付きＤ型フリップフロップ（以下、ＤＦＦという）が多段に接続されるように構成されるカウンタで、各段のＤＦＦ出力がＬｏｗレベルのときセットすることにより周波数を進み方向に調整、ＤＦＦのクロック入力の有効エッジのタイミングでセット状態を維持することにより遅延方向に調整することができるものである。
【００３４】
制御手段１０３は、分周手段１０２より受けた時刻信号に従い、駆動手段１０７に対しモータパルスの出力指示であるパルス信号ＳＧ４、温度測定手段１０４および温度補償値生成手段１０５に対し温度補償実行を指示する。また、操作手段１０６からの指示に従い、温度測定手段１０４へ禁止信号ＳＧ３および、駆動手段１０７へパルス信号ＳＧ４を出
力する。
【００３５】
制御手段１０３は、ＣＰＵを用いて、プログラムメモリに書き込まれたプログラムにより処理を動作させるように構成されても良いし、ロジック回路で処理を実行するよう構成されても良い。
【００３６】
温度測定手段１０４は、温度を検知するセンサと、センサ状態の検出回路とで構成される。本発明では、センサとしてコンデンサと抵抗で構成されるＣＲ発振回路、検出回路としてカウンタ回路を想定している。このＣＲ発振回路は、周囲温度に依存して発振周波数が変化する特性を持つ。ＣＲ発振回路からの発振信号をカウンタ回路で一定時間カウントすることにより、そのカウント値より周囲温度を検出することができる。
【００３７】
ここで、本発明では、センサとしてＣＲ発振回路、検出回路としてカウンタ回路を想定してるが、それに限るものではなく、サーミスタと抵抗による抵抗分割電圧をアナログデジタル変換器で変換して温度を検出するような、温度を測定してデジタル値に変換できる構成であれば良い。
【００３８】
温度補償値生成手段１０５は、温度測定手段１０４からのカウント値に従い、温度補償値を生成し、発振手段１０１または分周手段１０２の周波数を補正する。例えば、あらかじめ温度に対応した補正値が格納されたメモリからカウント値に対応した値を読み出し、その値に従い発振手段１０１内の容量の接続、切断することで発振手段１０１の発振周波数を変更し、あるいは、分周手段１０２の分周比を変更することにより分周手段１０２出力タイミング信号の周波数を変更することで、周波数調整を行う。なお、発振手段１０１と分周手段１０２の両方に対して周波数調整を行っても良い。
【００３９】
操作検出手段１０６は、りゅうず１５０４およびプッシュボタン１５０５からの信号を受け取り、制御手段へ出力する。具体的には、りゅうず１５０４およびプッシュボタン１５０５が操作されたときに混入するノイズを除去し、操作状態が確定された信号を出力する。
【００４０】
駆動手段１０７は、制御手段１０３から出力されたパルス信号ＳＧ４を指針モジュール１１内のモータを駆動する信号に変換する回路である。
【００４１】
指針モジュール１１、りゅうず１５０４、プッシュボタン１５０５は、図１５と同様であるので、ここでの詳細な説明は省略する。
【００４２】
［第１の実施形態の構成］
次に、図１から図６を用いて、本発明の第１の実施形態に係る電子時計の動作を説明する。
【００４３】
図２は、本発明の第１の実施形態に係る電子時計の動作を示すフローチャートであり、制御手段１０３の動作手順を示している。図３は、本発明の第１の実施形態に係る制御手段１０３のブロック図である。図４は、本発明の第１の実施形態に係る制御処理の手順を示すフローチャートである。図５は、本発明の第１の実施形態に係る温度補償処理の手順を示すフローチャートである。図６は、本発明の第１の実施形態に係る電子時計の動作を示すタイミングチャートである。
【００４４】
[制御手段の説明]
図３に示すように、本実施例の制御手段１０３は、操作判定手段３０１、温度測定禁止手段３０２、パルス制御手段３０３、歩度パルス生成手段３０４および運針パルス生成手
段３０５から構成されている。
【００４５】
操作判定手段３０１は、りゅうず１５０４からりゅうず信号ＳＧ１を受け取り、りゅうず１５０４が回転状態１５０４ｃ、１５０４ｄであるかりゅうず押し状態１５０４ａであるかまたはりゅうず引き状態１５０４ｂであるかを判断する。また、プッシュボタン１５０５からプッシュボタン信号ＳＧ２を受け取り、プッシュボタンが操作されたかを判断する。
【００４６】
温度測定禁止手段３０２は、操作判定手段３０１からの判定結果に従い、温度測定の禁止信号ＳＧ２を出力する。
【００４７】
運針パルス生成手段３０５は、操作判定手段３０１からの判定結果に従い、モータ駆動用のパルス信号を生成する。
【００４８】
歩度パルス生成手段３０４は、操作判定手段３０１からの判定結果に従い、歩度測定用のパルス信号を生成する。
【００４９】
パルス制御手段３０３は、操作判定手段３０１からの判定結果に従い、運針パルス生成手段３０５から出力されるモータ駆動用パルスと歩度パルス生成手段３０５から出力される歩度測定用パルスのどちらかを選択してパルス信号ＳＧ４として駆動手段１０７へ出力する。
【００５０】
[第１の実施形態の動作]
本発明の電子時計は、図２に示すように、りゅうず押し状態１５０４ａで動作を開始すると、運針動作を開始する（ＳＰ２０１）。具体的には、分周回路１０２から受け取る時刻情報が運針タイミングに達すると、駆動手段１０７に対しモータ駆動用のパルス信号ＳＧ４を出力する。本発明では、１秒間を１６発の運針パルスで運針（以下、１６ビートという）を行う電子時計を例に上げる。
【００５１】
この状態では、りゅうず押し状態１５０４ａであり、プッシュボタン１５０５は操作されていないため、温度測定禁止手段３０２は、禁止信号ＳＧ２を温度測定許可状態であるＬｏｗレベルとする。
【００５２】
さらに、操作判定手段３０１は、運針パルス生成手段３０５には運針パルスを生成するように、歩度パルス生成手段３０４には歩度パルスを停止するように指示をだす。そして、パルス制御手段３０３には、運針パルスをパルス信号ＳＧ３として出力するよう指示を出す。
【００５３】
図６の期間Ｔ６１に示すように、りゅうず押し状態１５０４ａが維持されている間は、操作判定手段３０１はパルス制御手段３０３に対し１６ビートのパルス信号ＳＧ４を出力し続ける。このとき、禁止信号ＳＧ３はＬｏｗレベルなので、温度測定は許可されており、図６のＭ１に示すように温度測定が行われる。
【００５４】
ＳＰ２０２において、操作判定手段３０１は、りゅうず１５０４またはプッシュボタン１５０５の操作があったかを判定する。操作がなかった場合（ＮＯ）は、ＳＰ２０４へ進み温度補償を実行するタイミングか確認を行う。温度補償実行タイミングではない場合（ＮＯ）はＳＰ２０２へ戻り、１６ビート運針を継続する。
【００５５】
ＳＰ２０２で操作が検出された場合（ＹＥＳ）、制御処理ＳＰ２０４を開始する。図４のＳＰ４０１において、操作判定手段３０１は、検出された処理がりゅうず１５０４によ
るものか、プッシュボタン１５０５によるものかを判定する。プッシュボタン１５０５を押すことによる操作であった場合（ＹＥＳ）は、対応する処理を行う（ＳＰ４０９）。この場合は、りゅうず押し状態１５０４ａであるので、本発明の電子時計１０の動作に影響を及ぼさないため、対応する処理はなく、なにもしない。
【００５６】
同様に、回転状態１５０４ｃと判定された場合も対応する処理はない。
【００５７】
制御処理ＳＰ２０３が完了すると、温度補償を実行するタイミングか確認を行う（ＳＰ２０４）。ここで、温度補償実行タイミングではない場合（ＮＯ）はＳＰ２０２へ戻り、１６ビート運針を継続する。
[制御処理の説明]
ＳＰ２０２において操作が検出され（ＹＥＳ）、続くＳＰ４０１において、操作判定手段３０１によりプッシュボタン１５０５の操作ではないと判定された場合（ＮＯ）は、りゅうずの回転状態１５０４ｃであるか判定される（ＳＰ４１０）。回転状態と判定される（ＹＥＳ）と、対応処理を実行したのち戻る。
【００５８】
ＳＰ４１０でＮＯと判定された場合、りゅうず１５０４の押しまたは引き操作と判定され、ＳＰ４０２においてりゅうず押し状態１５０４ａへの操作か、りゅうず引き状態１５０４ｂへの操作かの判定が行われる。
【００５９】
ＳＰ４０２においてりゅうず引き状態１５０４ｂへの操作と判定された場合は、操作判定手段３０１からの指示により、運針パルス生成手段３０５は１６ビートの運針を停止し（ＳＰ４０３）、歩度パルス生成手段３０４は歩度パルスＳ１〜Ｓ４の出力を開始する（ＳＰ４０４）。そして、パルス制御手段３０３は、歩度パルスＳ１〜Ｓ４を選択し、パルス信号ＳＧ４として出力する。
【００６０】
さらに、操作判定手段３０１は、温度測定禁止手段３０２に対し温度測定を禁止とするよう指示を出す（ＳＰ４０５）。具体的には、図６のタイミングＴＭ１に示すように禁止信号ＳＧ３をＨｉｇｈレベルとする。それにより、温度測定タイミングＭ２に示すように、温度測定が行われなくなる。
【００６１】
りゅうず引き状態１５０４ｂにおいて操作判定手段３０１がプッシュボタン１５０５が操作されたと判定した場合あるいは、回転状態１５０４ｄと判定された場合、ＳＰ４０９の対応処理を実行する。対応処理については、本発明とかかわりがないため、詳しい説明は行わない。対応処理の例としては、秒針の位置合わせなどがある。
【００６２】
ＳＰ４０２において、操作判定手段３０１により、りゅうず押し状態１５０４ａへの操作と判定された場合は、操作判定手段３０１の指示により、図６のタイミングＴＭ２に示すように歩度パルス生成手段３０４は、歩度パルスＳ１〜Ｓ４の出力を停止し（ＳＰ４０６）、運針パルス生成手段３０５は、１６ビートのパルスの生成を開始する（ＳＰ４０７）。
【００６３】
そして、パルス制御手段３０３に対しては、１６ビート運針パルスを選択し、パルス信号ＳＧ４として出力するように指示を出す。さらに、温度測定禁止手段３０２に対し、温度測定の禁止を解除するよう指示を出す（ＳＰ４０８）。具体的には、禁止信号ＳＧ３をＬｏｗレベルとする。これで制御処理ＳＰ２０３が終了し、続いてＳＰ２０４へ進み温度補償を実行するタイミングか確認を行う。
【００６４】
[温度補償処理の説明]
ＳＰ２０４において温度補償のタイミングと判定された場合（ＹＥＳ）は、温度補償処
理を行う。
【００６５】
図５のＳＰ５０１において、禁止信号ＳＧ２がＬｏｗレベルであり温度測定禁止ではない（ＮＯ）と判定された場合は、図６のＭ１またはＭ３に示すように温度測定を行い（ＳＰ５０５）、その測定値を記憶手段１０５ａに記憶させ（ＳＰ５０６）、その値を用いて温度補償値を生成する（ＳＰ５０３）。具体的には、記憶手段１０５ａから記憶した値を読み出し（ＳＰ５０２）、温度補償を実行する（ＳＰ５０４）。温度補償の実行は、例えば、発振手段１０１内の容量の接続、切断および分周回路１０２内のＤＦＦのセットにより行われる。
【００６６】
本実施形態では、記憶手段１０５ａから読みだした値をそのまま温度補償値として用いているが、記憶手段１０５ａに記憶する値は、温度補償値を算出するための値、例えばオフセット値などでも良く、この値を用いた演算処理により温度補償値を求めても良い。そのようにすることで、記憶手段１０５ａの記憶容量、回路規模などを削減することが可能となる。
【００６７】
図５のＳＰ５０１において、禁止信号ＳＧ２がＨｉｇｈレベルであり温度測定禁止である（ＮＯ）と判定された場合は、図６のＭ２に示すように温度測定タイミングであっても温度測定を行わず、記憶手段１０５ａより前回の温度測定において記憶された値を読み出し、（ＳＰ５０２）、温度補償値を生成し（ＳＰ５０３）温度補償を実行する（ＳＰ５０４）。
【００６８】
温度補償処理ＳＰ２０５が終了すると、操作判定ＳＰ２０２へ戻り、一連の処理を繰り返す。
【００６９】
このように、第１の実施形態によれば、温度測定を禁止することにより、消費電流測定において、測定開始後即座に安定した測定結果が得られる。また、記憶された値を用いて温度補償を行うことにより、歩度測定において、高精度の歩度測定を行うことができる。従って、消費電流測定と歩度測定を同時に行うことができるため、検査工程の削減、時間の短縮が可能となる。
【００７０】
[第２の実施形態の構成]
続いて、図１〜図３、図５、図７および図８を用いて本発明に係る第２の実施形態について説明する。尚、第１の実施形態と同じ構成については、同じ符号を付し、詳しい説明は省略する。
【００７１】
図７は、第２の実施形態の電子時計に係る制御処理の手順を示すフローチャートであり、制御手段１０３の動作手順を示している。図８は、本発明の第２の実施形態に係る電子時計の動作を示すタイミングチャートである。
【００７２】
[第２の実施形態の動作]
第２の実施形態の動作は、りゅうず引き状態１５０４ｂにおけるプッシュボタン１５０５操作による動作以外は第１の実施形態と同様であるため、その他の動作の詳細な説明は省略する。
【００７３】
図７のＳＰ４０２においてりゅうず引き状態１５０４ｂへの操作と判定された場合は、操作判定手段３０１からの指示により、第１の実施形態と同様に、パルス信号ＳＧ４から歩度パルスＳ１〜Ｓ４を出力する（ＳＰ４０４）とともに、禁止信号ＳＧ３をＨｉｇｈレベルとして温度測定を禁止する（ＳＰ４０５）。
【００７４】
運針パルス生成手段３０５は１６ビートの運針を停止し（ＳＰ４０３）、歩度パルス生成手段３０４は歩度パルスＳ１〜Ｓ４の出力を開始する（ＳＰ４０４）。そして、パルス制御手段３０３は、歩度パルスＳ１〜Ｓ４を選択し、パルス信号ＳＧ４として出力する。
【００７５】
さらに、操作判定手段３０１は、温度測定禁止手段３０２に対し温度測定を禁止とするよう指示を出す（ＳＰ４０５）。具体的には、図６のタイミングＴＭ１に示すように禁止信号ＳＧ３をＨｉｇｈレベルとする。それにより、温度測定タイミングＭ２に示すように、温度測定が行われなくなる。
【００７６】
りゅうず引き状態１５０４ｂで、操作判定手段３０１が図７のＳＰ４０２においてプッシュボタンの操作と判定した（ＹＥＳ）場合、ＳＰ４０９の対応処理を実行する。
【００７７】
対応処理の実行終了後、操作判定手段３０１は、温度測定禁止手段３０２に対し、禁止信号ＳＧ２をＬｏｗレベルとするよう指示を出す。これにより、図８のタイミングＴＭ３に示すように、温度測定禁止手段は禁止信号ＳＧ２をＬｏｗレベルとし、温度測定禁止が解除され、りゅうず引き状態１５０４ｂであっても温度測定タイミングＭ３で温度測定が実行されることになる。
【００７８】
このように、第２の実施形態によれば、消費電流測定と歩度測定を同時に行うことができるため、検査工程の削減、時間の短縮が可能となるとともに、検査工程が終了したのち、りゅうずを戻すことなく温度測定を伴った温度補償を行わせることができる。従って、低消費電流かつ、高精度の計時が行われる状態での保管、輸送などが可能となる。
【００７９】
[第３の実施形態の構成]
続いて、図１、図５、図７、図９〜図１１を用いて本発明に係る第３の実施形態について説明する。尚、第１または第２の実施形態と同じ構成については、同じ符号を付し、詳しい説明は省略する。
【００８０】
図９は、本発明の第３の実施形態に係る制御手段１０３のブロック図である。図１０は、本発明の第３の実施形態に係る電子時計の動作を示すフローチャートである。図１１は、本発明の第３の実施形態に係る電子時計の動作を示すタイミングチャートである。
【００８１】
図９において、９０１は、禁止期間計測手段である。禁止期間計測手段９０１は、温度測定禁止の時間を計測するタイマで構成されている。禁止期間計測手段９０１は、操作手段３０１からの指示により温度測定禁止手段を制御するための禁止解除信号ＳＧ５を出力する。
【００８２】
第３の実施形態の制御手段１０３の構成は、第１および第２の実施形態とは、禁止期間計測手段９０１だけが異なるため、他の構成要素の説明は省略する。
【００８３】
[第３の実施形態の動作]
第３の実施形態の動作は、りゅうず引き状態１５０４ｂにおける動作以外は第２の実施形態と同様であるため、その他の動作の詳細な説明は省略する。
【００８４】
第３の実施形態では、図４に示すように、りゅうず引き状態１５０４ｂとなると、第１および第２の実施形態と同様に、操作判定手段３０１からの指示により、パルス信号ＳＧ４から歩度パルスＳ１〜Ｓ４を出力する（ＳＰ４０４）とともに、禁止信号ＳＧ３をＨｉｇｈレベルとして温度測定を禁止する（ＳＰ４０５）。
【００８５】
この状態は、りゅうず引き状態１５０４ｂかつ温度測定禁止状態であり、図１０におけ
るＳＰ１００１の判定の結果（ＹＥＳ）、ＳＰ１００２へ進む。
【００８６】
この状態へ移行したときは、時間計測を開始していないので、ＳＰ１００２の判定はＮＯとなり、操作判定手段３０１は、禁止期間計測手段９０１に対し、時間計測を開始するよう指示を出す（ＳＰ１００３）。具体的には、タイマーをスタートさせる。
【００８７】
りゅうず１５０４またはプッシュボタン１５０５の操作が行われず、ＳＰ１００４において所定時間経過と判断される（ＹＥＳ）と、図１１のタイミングＴＭ４に示すように、禁止期間計測手段９０１が温度測定禁止手段３０２に対し、禁止信号ＳＧ２をＬｏｗレベルとするように禁止解除信号ＳＧ５を出力する（ＳＰ１００５）。
【００８８】
ここでの所定時間は、例えば、検査工程において消費電流測定および歩度測定などの作業時間を考慮してあらかじめ設定しておけば良い。
【００８９】
これにより、図１１のタイミングＴＭ４に示すように、温度測定禁止手段は禁止信号ＳＧ２をＬｏｗレベルとし、温度測定禁止が解除され、りゅうず引き状態１５０４ｂであっても温度測定タイミングＭ３で温度測定が実行されることになる。
【００９０】
本実施形態では、タイマーで禁止信号ＳＧ２を解除する例を上げたが、第１の実施形態と合わせて、タイマー、プッシュボタンどちらでも解除可能なように構成しても良い。
【００９１】
このように、第３の実施形態によれば、消費電流測定と歩度測定を同時に行うことができるため、検査工程の削減、時間の短縮が可能となるとともに、検査工程が終了したのち、りゅうずおよびプッシュボタンの操作をすることなく温度補償を行わせることができる。従って、操作の削減が図れ、低消費電流、かつ高精度の計時が行われる状態での保管、輸送などが可能となる。
【００９２】
[第４の実施形態の構成]
続いて、図１、図５、図７、図１２〜図１４を用いて本発明に係る第４の実施形態について説明する。尚、第１の実施形態と同じ構成については、同じ符号を付し、詳しい説明は省略する。
【００９３】
図１２は、本発明の第４の実施形態に係る制御手段１０３のブロック図である。図１３は、本発明の第４の実施形態に係る電子時計の動作を示すフローチャートである。図１４は、本発明の第４の実施形態に係る電子時計の動作を示すタイミングチャートである。
【００９４】
図１２において。１２０１は、解除期間計測手段である。解除期間計測手段１２０１は、温度測定解除の時間を計測するタイマで構成されている。解除期間計測手段１２０１は、操作手段３０１からの指示により温度測定禁止手段を制御するための禁止移行信号ＳＧ６を出力する。
【００９５】
第４の実施形態の制御手段１０３の構成は、第３の実施形態とは、解除期間計測手段１２０１だけが異なるため、他の構成要素の説明は省略する。
【００９６】
[第４の実施形態の動作]
第４の実施形態の動作は、りゅうず引き状態１５０４ｂにおいてプッシュボタン１５０５の操作により温度測定禁止を解除するまでは第２の実施形態と同様であるため、その他の動作の詳細な説明は省略する。
【００９７】
図７のＳＰ４０２においてりゅうず引き状態１５０４ｂへの操作と判定された場合は、
操作判定手段３０１からの指示により、第２の実施形態と同様に、パルス信号ＳＧ４から歩度パルスＳ１〜Ｓ４を出力する（ＳＰ４０４）とともに、禁止信号ＳＧ３をＨｉｇｈレベルとして温度測定を禁止する（ＳＰ４０５）。
【００９８】
次に、図７のＳＰ４０１でプッシュボタンの操作と判定した（ＹＥＳ）場合、操作判定手段３０１の指示により、温度測定禁止手段３０２は、禁止信号ＳＧ２をＬｏｗレベルとし、温度測定禁止を解除する（ＳＰ７０１）。
【００９９】
この状態は、りゅうず引き状態１５０４ｂかつ温度測定有効状態であり、図１３におけるＳＰ１３０１の判定の結果（ＹＥＳ）、ＳＰ１３０２へ進む。
【０１００】
この状態へ移行したときは、時間計測を開始していないので、ＳＰ１３０２の判定はＮＯとなり、操作判定手段３０１は、解除期間計測手段１２０１に対し、時間計測を開始するよう指示を出す（ＳＰ１３０３）。具体的には、タイマーをスタートさせる。
【０１０１】
りゅうず１５０４またはプッシュボタン１５０５の操作が行われず、ＳＰ１３０４において所定時間経過と判断される（ＹＥＳ）と、図１４のタイミングＴＭ５に示すように、解除期間計測手段１２０１が温度測定禁止手段３０２に対し、禁止信号ＳＧ２をＨｉｇｈレベルとするように禁止移行信号ＳＧ６を出力する（ＳＰ１３０５）。
【０１０２】
ここでの所定時間は、例えば、りゅうず引き状態１５０４ｂにおいて長時間使用しない状況、倉庫に保管中などと判断する時間や、温度測定を必要とする別工程の作業時間を考慮してあらかじめ設定しておけば良い。
【０１０３】
これにより、図１４のタイミングＴＭ５に示すように、温度測定禁止手段３０２は禁止信号ＳＧ２をＨｉｇｈレベルとし、温度測定が禁止され、温度測定タイミングＭ４で温度測定が実行されない。
【０１０４】
さらに、歩度パルス生成手段３０４に対し、歩度パルスを停止するように指示を出す（ＳＰ１３０６）。これにより、図１４に示すように制御手段１０３からのパルス信号ＳＧ４には運針パルス、歩度パルスＳ６，Ｓ７とも出力されなくなる。従って、より低消費電流状態とすることが可能である。
【０１０５】
本実施形態では、プッシュボタン１５０５で禁止信号ＳＧ２を解除する第２の実施形態をもとに説明したが、タイマーで禁止信号ＳＧ２を解除する第３の実施形態をもとにしても良い。また、タイマーにより禁止移行信号ＳＧ６の出力タイミングを生成しているが、プッシュボタン１５０５の操作タイミングで出力するよう構成することも可能である。
【０１０６】
また、本実施形態では、解除期間計測手段１２０１が禁止移行信号ＳＧ６を出力するとき、歩度パルスを停止しているが、電子時計１０に搭載される電源に余裕がある場合は、歩度パルスを停止する必要がなく、処理の簡素化が図れる。
【０１０７】
このように、第４の実施形態によれば、消費電流測定と歩度測定を同時に行うことができるため、検査工程の削減、時間の短縮が可能となるとともに、温度測定の実行が必要とされる別の検査工程のため、一旦温度測定禁止を解除したとしても、再度温度測定が禁止されることにより、低消費電流かつ、高精度の計時が行われる状態での保管、輸送などが可能となる。
【０１０８】
以上の実施形態では、りゅうずやプッシュボタンにより温度測定の禁止制御やその解除を行う実施例で説明を行ってきたが、もちろんこれに限定されない。
【０１０９】
例えば、無線通信機能を備えた時計であれば、その無線通信機能を用いて温度測定の禁止制御やその解除を行っても良い。このようにすれば、操作手段の操作が不要になるので、消費電流や歩度の測定を自動化することが可能となる。
【０１１０】
また、無線通信機能として指針駆動用モータのコイルを利用して通信を行えば、無線通信機能を簡単に装備することが出来る。
【符号の説明】
【０１１１】
１０        電子時計
１１        指針モジュール
１０１      発振手段
１０２      分周手段
１０３      制御手段
１０４      温度測定手段
１０５      温度補償値生成手段
１０５ａ    記憶手段
１０６      操作検出手段
１０７      駆動手段
【図１】
2014178180.tif 000003
【図２】
2014178180.tif 000004
【図３】
2014178180.tif 000005
【図４】
2014178180.tif 000006
【図５】
2014178180.tif 000007
【図６】
2014178180.tif 000008
【図７】
2014178180.tif 000009
【図８】
2014178180.tif 000010
【図９】
2014178180.tif 000011
【図１０】
2014178180.tif 000012
【図１１】
2014178180.tif 000013
【図１２】
2014178180.tif 000014
【図１３】
2014178180.tif 000015
【図１４】
2014178180.tif 000016
【図１５】
2014178180.tif 000017
【図１６】
2014178180.tif 000018